(57)【要約】【課題】棚板の重量や載荷重量を柱材に対する締め付け力として有効に作用させることができ、重量物の載置にも対応できる棚受け具を提供する。【解決手段】柱材ａに対して外接させることができる荷重支持部材２と、前記荷重支持部材２の両腕板６を結合するように取付けることで柱材ａに外接する棚受け部材３とからなり、前記両腕板部６と棚受け部材３の両端部のそれぞれに、この棚受け部材３で両腕板部６を結合する一対の嵌め合わせ機構４を設け、前記嵌め合わせ機構４で荷重支持部材２を棚受け部材３側に引き込むようにする。【選択図】図３
2018029649.tif 000002
【特許請求の範囲】
【請求項１】
両側に対向する腕板部間が開放し、柱材に対して外接させることができる荷重支持部材と、前記荷重支持部材に対し、両腕板を結合するように取付けることで柱材に外接する棚受け部材とからなり、前記両腕板部と棚受け部材の両端部のそれぞれに、棚受け部材を上から嵌め込むことによりこの棚受け部材で両腕板部を結合する一対の嵌め合わせ機構を設け、前記嵌め合わせ機構が、互いに嵌り合うよう腕板部と棚受け部材の重なり面のそれぞれに設けた縦方向の凹凸面を有し、この凹凸面で荷重支持部材を棚受け部材側に引き込むようにした棚受け具。
【請求項２】
上記嵌め合わせ機構の凹凸面は、上下で幅の異なる楔形状の凸條と、この凸條間に位置して相手凸條が嵌る凹條の組み合わせによって形成され、腕板部と棚受け部材の凹凸面では、凸條の上下方向の形状が逆の配置となり、凸條と相手凹條の嵌め合わせが増し締めされるようにした請求項１に記載の棚受け具。
【請求項３】
上記荷重支持部材と棚受け部材が、角形の柱材に対応するためのものであり、前記荷重支持部材は、背板部の両端に同一方向へ延びて対向する一対の腕板部を設けて柱材に外接する平面コ字状となり、前記腕板部の外面に嵌め合わせ機構の凹凸面が設けられ、前記棚受け部材は、一対の腕板部間に対応する長さを有し、その両端部に下面と背面で開放して腕板部の先端に上から外嵌挿するための溝部が形成され、この溝部を形成する外側板の内面に嵌め合わせ機構の凹凸面が設けられている請求項１又は２に記載の棚受け具。
【請求項４】
上記棚受け部材は、柱材に外接する側となる背面の下部に、柱材の外面に対して線状もしくは点状に接触する当接部が設けられている請求項１乃至３の何れかに記載の棚受け具。
【発明の詳細な説明】
【技術分野】
【０００１】
この発明は、釘やねじを使わずに柱材の所望する高さ位置に固定でき、しかも、棚板や載置物の重量を柱材に対する固定力として有効に作用させることで、ずり落ちの発生がないと共に重量物の載置にも対応することができる棚受け具に関する。
【背景技術】
【０００２】
隣接する柱材間に棚板を設置したい場合、一般的には、両柱材に棚受け具を釘やねじを使って固定し、この棚受け具間に棚板を架設することによって行われているが、釘やねじを使うと固定のために別途工具が必要になると共に、棚受け具の固定に際して左右の高さ位置の精度出し作業が面倒であり、しかも、棚受け具を取り外しした場合に釘やねじの抜き跡が柱材に生じるという問題がある。
【０００３】
そこで、棚板や載置物の重量を利用して柱材に対する固定力を得ることで、棚板の架設に際して釘やねじを不要とし、架設高さの設定や調整が簡単に行えると共に、柱材に対する損傷の発生をなくすことができる棚受け具が提案されている。
【０００４】
従来の棚受け具における第１の例は、棚材の後端部で両側の位置に、この棚材を形成する金属線材からコ字状に折り曲げた外嵌部を設け、前記外嵌部における前縁辺の途中に、下向きに突出するよう折り曲げた当接片を形成した構造を有し、両側の柱材にそれぞれ外嵌部を嵌めて棚材を取付けたときに当接片が柱材の前面に当接し、棚板や載置物の重量で前記当接片の下端を支点として外嵌部に棚材側が下がる傾斜力を加えることで、外嵌部の後縁辺と前記当接片の下端で柱材を前後から挟み、この挟持力で柱材に対する棚材の固定状態を得るようになっている（特許文献１参照）。
【０００５】
第２の例の棚受け具は、棚板の後部に設けた半円筒部と、この半円筒部の開放する後面に固定する半円筒状のキャップ部材とからなり、前記半円筒部の両端部内面に設けたテーパー溝と、キャップ部材の両端部外面に設けたテーパー鍔を嵌め合わせることにより、柱材を抱持した状態で両者を結合し、キャップ部材に設けた弾性舌片を柱材へ圧接させることで、棚板を柱材に固定する構造になっており、この第２の例の棚受け具においても、棚板や載置物の重量により棚板側が下がる傾斜荷重が加わることで、半円筒部の内周下端とキャップ部材の内周上端で柱材を前後から挟み、この挟持力が柱材に対する棚材の固定に寄与すると考えられる（特許文献２参照）。
【０００６】
第３と第４の例の棚受け具は、柱材の後面に外接する半筒状やコ字状の後部嵌着部材と、棚板の後端に設けた半筒状やコ字状の前部嵌着部材の組み合わせからなり、後部嵌着部材の両側前縁における対向面に楔溝を設け、前部嵌着部材の両側前縁における相反する外面に楔板を設けた構造を有し、柱材に外接させた後部嵌着部材の楔溝に前部嵌着部材の楔板を上から挿入し、楔溝と楔板の嵌め合わせによる両嵌着部材の締め付けで、柱材に棚板を固定するものであり、この第３と４の例の棚受け具は、棚板や載置物の重量により棚板側が下がる傾斜荷重が加わることで、前部嵌着部材の下端と後部嵌着部材の上端で柱材を前後から挟み、この挟持挟持力で柱材に対する棚材の固定を得るようになっている（特許文献３と４参照）。
【先行技術文献】
【特許文献】
【０００７】
【特許文献１】特開昭５１−１３４２６９号公報
【特許文献２】特開昭５９−９５８５５号公報
【特許文献３】実開昭５９−６４０４８号公報
【特許文献４】実公昭５０−３６５７４号公報
【発明の概要】
【発明が解決しようとする課題】
【０００８】
ところで、特許文献１乃至４のような各棚受け具は、釘やねじを用いることなく柱材の上下所望位置に棚板を取付けることができ、棚板の重量や載荷重量が棚受け具を柱材に固定する力として働くことになるが、特許文献１の棚受け具は、柱材への外嵌部が金属線材を用いてコ字状に形成されているので、構造的な機械的強度及び柱材に対する固定強度が弱いために荷重支持強度に劣り、重量物の支持に適さないと共に、荷重が作用すると外嵌部はコ字状の開放部分が押し開かれることになり、振動などが作用することで棚板にずり下がりが生じるという問題がある。
【０００９】
特許文献２の棚受け具は、半円筒部とキャップ部材を結合して柱材を抱持し、キャップ部材の弾性舌片で半円筒部の内周面を柱材に圧接させて固定するので、経時的な弾性舌片の弾性劣化と共に柱材に対する固定力の低下が発生する。
【００１０】
また、半円筒部とキャップ部材は上下に移動のない状態で結合一体化されるので、棚板や載置物の重量を利用した柱材に対する棚材の固定に関して、柱材を増し締めするような機能がないため、柱材に対する固定力の増大が望めない。
【００１１】
更に、半円筒部とキャップ部材は、両者の結合構造に上下位置の調整機能がなく、定位置で嵌め合わせて結合一体化して柱材を抱持する構造になっているので、柱材に取付けた状態で上下への移動が困難となり、半円筒部とキャップ部材を完全に分解しないと上下固定位置の高さの調整が行えないという不便がある。
【００１２】
特許文献３と４の棚受け具は、楔溝と楔板の嵌め合わせによって後部嵌着部材と前部嵌着部材を締め付け結合するものであるが、楔溝と楔板の嵌め合わせが後部嵌着部材の両側先端に対して外側に押し広げる構造になっているので、楔溝と楔板による結合は柱材の抱持に対して増し締めするものではなく、従って、増し締めによる柱材への固定力の増大が望めないと共に、実際の使用において、棚板や載荷物の重量がかかると、楔溝と楔板の押し広げが外向きに作用して後部嵌着部材の両側先端が開くので、柱材に対する固定力が低下することで重量物の載置に適さないという問題がある。
【００１３】
そこで、この発明の課題は、上下高さの調整が簡単に行えると共に、棚板の重量や載荷重量を柱材に対する締め付け力として有効に作用させることができ、重量物の載置にも対応できる棚受け具を提供することにある。
【課題を解決するための手段】
【００１４】
上記のような課題を解決するため、請求項1の発明は、両側に対向する腕板部間が開放し、柱材に対して外接させることができる荷重支持部材と、前記荷重支持部材に対し、両腕板を結合するように取付けることで柱材に外接する棚受け部材とからなり、前記両腕板部と棚受け部材の両端部のそれぞれに、棚受け部材を上から嵌め込むことによりこの棚受け部材で両腕板部を結合する一対の嵌め合わせ機構を設け、前記嵌め合わせ機構が、互いに嵌り合うよう腕板部と棚受け部材の重なり面のそれぞれに設けた縦方向の凹凸面を有し、この凹凸面で荷重支持部材を棚受け部材側に引き込むように形成したものである。
【００１５】
請求項２の発明は、請求項１に記載の発明において、上記嵌め合わせ機構の凹凸面は、上下で幅の異なる楔形状の凸條と、この凸條間に位置して相手凸條が嵌る凹條の組み合わせによって形成され、腕板部と棚受け部材の凹凸面では、凸條の上下方向の形状が逆の配置となり、凸條と相手凹條の嵌め合わせが増し締めされるようにしたものである。
【００１６】
請求項３の発明は、請求項１又は２に記載の発明において、上記荷重支持部材と棚受け部材が、角形の柱材に対応するためのものであり、前記荷重支持部材は、背板部の両端に同一方向へ延びて対向する一対の腕板部を設けて柱材に外接する平面コ字状となり、前記腕板部の外面に嵌め合わせ機構の凹凸面が設けられ、前記棚受け部材は、一対の腕板部間に対応する長さを有し、その両端部に下面と背面で開放して腕板部の先端に上から外嵌挿するための溝部が形成され、この溝部を形成する外側板の内面に嵌め合わせ機構の凹凸面が設けられているようにしたものである。
【００１７】
請求項４の発明は、請求項１乃至３の何れかに記載の発明において、上記棚受け部材は、柱材に外接する側となる背面の下部に、柱材の外面に対して線状もしくは点状に接触する当接部が設けられているようにしたものである。
【００１８】
ここで、荷重支持部材と棚受け部材は、例えば、硬質の合成樹脂を用いて形成され、荷重支持部材の内周面で柱材を両側から挟む部分が、柱材への圧接時に固定力を増すために、縦方向の凸起と凹溝が交互に連続する凹凸圧接面に形成され、この荷重支持部材の両端腕板部に設けた嵌め合わせ機構の一方は、腕板部の先端から延長方向の前方へ該腕板部よりも薄い板厚のプレートを突設し、前記プレートの外面に凹凸面をその下端が腕板部側に接近する傾斜状に設けた構造になっている。
【００１９】
また、棚受け部材は、荷重支持部材の両腕板を結合する長さを有する結合部と、その前面に連ねて設けた棚板受け部からなり、前記結合部の両端に設けた外側板と内側板の間に、上記プレートが嵌り合う溝部が形成され、前記外側板の内面に設けた嵌め合わせ機構の他方は、凹凸面を垂直に設けた構造になっている。
【００２０】
従って、荷重支持部材の両端腕板部を棚受け部材の結合部で結合すると、荷重支持部材の背板部と棚受け部材の結合部で柱材を前後から挟み、棚板や載置物の重量が棚受け部材に加わることで、嵌め合わせ機構の凹凸面の組み合わせにより、荷重支持部材を棚受け部材側に引き寄せるように作用し、柱材に対する強固な固定力が得られることになる。
【発明の効果】
【００２１】
請求項１の発明によると、荷重支持部材の両腕板を棚受け部材で結合することにより柱材に固定するので、荷重支持部材と棚受け部材を結合したままで、荷重支持部材に対して棚受け部材を上下に移動させるだけで、柱材に対する固定と位置調整及び取り外しが行え、棚受け部材を上下動という単純操作だけでよいので、取り扱いが容易で上下高さの調整が簡単に行える。
【００２２】
また、荷重支持部材と棚受け部材を結合する嵌め合わせ機構が互いに嵌り合う縦方向の凹凸面を有し、この凹凸面で荷重支持部材を棚受け部材側に引き込むようにしたので、棚板や載荷物の重量を柱材に対する締め付け力として有効に作用させることができ、荷重に比例した固定力が得られるので、振動等によるずり落ちの発生がなく、重量物の載置にも対応できることになる。
【００２３】
請求項２の発明によると、嵌め合わせ機構の凹凸面を、凸條と相手凹條の嵌め合わせが増し締めされるようにしたので、荷重支持部材と棚受け部材の結合時における上下の位置関係を安定的に保持し、柱材に対する締め付け力の増大に応じて荷重支持部材と棚受け部材の結合力を増加させることができる。
【００２４】
請求項３の発明によると、前記棚受け部材の両端に設けた溝部を、荷重支持部材の両端に位置する腕板部に上から外嵌挿するようにしたので、嵌め合わせ機構の凹凸面は荷重による引っ張り力が荷重支持部材の前後方向に作用するようになると共に、前記棚受け部材の外側板により、荷重支持部材の腕板部が外側に開くのを有効に防ぐことができ、これにより、荷重が増大しても荷重支持部材による柱材の抱持状態を維持することで、柱材に対する安定した固定がえられることになる。
【００２５】
請求項４の発明によると、棚受け部材の柱材に外接する側となる背面の下部に、柱材の外面に対して線状もしくは点状に接触する当接部を設けることにより、棚受け部材の柱材に対する固定点を前記当接部に集中させることで、柱材に対する固定力が向上し、柱材の所望高さ位置に対して棚受け部材を確実に固定化でき、これにより、棚板の重量や載荷重量が比較的軽い場合でも、柱材に対する棚受け部材のずり落ちの発生を防ぐことができる。
【図面の簡単な説明】
【００２６】
【図１】（ａ）はこの発明に係る棚受け具を形成する荷重支持部材と棚受け部材の分解斜視図、（ｂ）は嵌め合わせ機構の一方である腕板部先端に設けた凹凸面を示す荷重支持部材の正面図
【図２】（ａ）は棚受け部材を示す背面側から見た斜視図、（ｂ）は同じく棚受け部材の端部構造を示す拡大して横断平面図、（ｃ）は嵌め合わせ機構の他方である凹凸面を示す棚受け部材の拡大した縦断正面図
【図３】この発明に係る棚受け具を柱材に対して固定した状態を示す一部を切り欠いた横断平面図
【図４】この発明に係る棚受け具を柱材に対して固定した状態を示す一部を切り欠いて縦断した正面図
【発明を実施するための形態】
【００２７】
以下、この発明の実施の形態を添付図面に基づいて説明する。
【００２８】
図１と図３のように、この発明の棚受け具１は、両側に起立する柱材ａ間に棚板ｂを水平に架設するため、両柱材ａの同じ高さ位置ににそれぞれ固定して使用するものであり、柱材ａに対して外接させる荷重支持部材２と、前記荷重支持部材２の両端を結合することで柱材ａに外接する棚受け部材３からなり、この荷重支持部材２と棚受け部材３は、例えば、硬質の合成樹脂を用いて形成され、前記荷重支持部材２の両端部と棚受け部材３の両端部には、棚受け部材３を上から嵌め込むことにより係合し、この棚受け部材３で荷重支持部材２の両端を結合する嵌め合わせ機構４がそれぞれ設けられている。
【００２９】
図示の場合、棚受け具１は、角形の柱材ａに対応する例を示し、荷重支持部材２は、柱材ａの背面の幅に合わせた横長となる背板部５の両端に同一方向へ延びて対向する一対の腕板部６を設け、柱材ａの背面と両側面にわたって外接する平面コ字状に形成され、両腕板部６は柱材ａの側面の幅に見合う長さを有し、両腕板部６の相対向する内周面は、柱材ａへの圧接時に固定力を増すために、縦方向の凸起と凹溝が交互に連続する凹凸圧接面７になっている。
【００３０】
上記棚受け部材３は、荷重支持部材２における両腕板部６の先端を互いに結合する長さを有し、柱材ａの前面に当接する結合部８と、その前面に連ねて設けた棚板受け部９からなり、前記結合部８は、水平の上板８ａと垂直の前板８ｂで断面Ｌ形となり、また、棚板受け部９は、前記前板８ｂの下縁から前方に突出する受け板９ａと、この受け板９ａと前板８ｂのコーナー部分で両端部に設けた側板９ｂからなり、上から端部を嵌め込んだ棚板ｂを保持するようになっている。
【００３１】
この棚受け部材３は、図２（ａ）のように、柱材ａの前面に外接する側となる背面の下部に、柱材ａの前面に対して線状もしくは点状に接触する当接部１０が設けられている。図示の場合、上板８ａと前板８ｂの内角側の位置に角形のリブ板１０ａを長さ方向に複数枚設け、各リブ板１０ａの下端後部の例えば直角となって尖るコーナーを、柱材ａの前面に対して点状に接触する当接部１０としたが、例えば、各リブ板１０ａの後縁又は下縁を垂直又は水平の板で連結し、この板の下縁又は後縁を柱材ａの前面に対して線状に接触する当接部とした構造にしてもよい。
【００３２】
上記荷重支持部材２の両腕板部６を棚受け部材３で結合することにより、棚受け具１を組み立てる一対の嵌め合わせ機構４は、腕板部６の先端に、内面がこの腕板部６と同一平面で該腕板部６よりも板厚が少し薄い角形の縦プレート１１を延長方向の前方に突出するように設け、棚受け部材３の両端部に前記縦プレート１１へ上から嵌め込む溝部１２を形成し、前記縦プレート１１の外面に縦方向の凹凸面１３と溝部１２の内側に縦方向の凹凸面１４を互いに嵌り合うように設けた構造になっている。
【００３３】
具体的には、図２のように、棚受け部材３の両端において、垂直の外側板１５と内側板１６をその間が縦プレート１１の嵌る溝部１２となるように設け、この外側板１５の内面に他方の凹凸面１４を形成し、図１のように、縦プレート１１の外面に一方の凹凸面１３を形成したものである。なお、溝部１２はその上面が上板８ａで、前面が前板８ｂでそれぞれ閉鎖され、図示の場合、内側板１６の高さ寸法は外側板１５よりも少し短く設定し、外側板１５の後端部に、内面側が傾斜面となる誘導片１７を突設し、縦プレート１１に対する溝部１２の嵌め込み作業が円滑に行えるようにしている。
【００３４】
上記縦プレート１１の外面に設けた一方の凹凸面１３は、図１（ｂ）のように、楔形状の凸條１３ａと、この凸條１３ａ間に位置する凹條１３ｂの組み合わせによって形成され、同じく、外側板１５の凹凸面１４も楔形状の凸條１４ａと、この凸條１４ａ間に位置する凹條１４ｂの組み合わせによって形成され、図１（ｂ）と図２（ｃ）のように、縦プレート１１と外側板１５の凹凸面１３と１４では、凸條１３ａと１４ａの上下方向の形状が逆の配置となり、凸條と相手凹條の嵌め合わせ、即ち、凸條１３ａと凹條１４ｂ、凸條１４ａと凹條１３ｂが増し締めされるようになっていると共に、図１（ｂ）で示したように、縦プレート１１に形成した一方の凹凸面１３は、その下端が腕板部６の側に接近する傾斜状となり、図２（ｃ）のように、前記外側板１５の内面に設けた他方の凹凸面１４が垂直になり、その嵌め合わせ時に荷重支持部材２を棚受け部材３を側に引き込むようになっている。
【００３５】
なお、一対の凹凸面１３と１４において、縦プレート１１に形成する凹凸面１３を傾斜状とすることにより、嵌め合わせ機構４を結合するとき、棚受け部材３は柱材ａの前面に対して少し離れた状態で溝部１２を縦プレート１１に挿入でき、棚受け部材３の取り扱いが容易になる。また、図示の場合、一対の凹凸面１３と１４は二條の凸條１３ａ、１４ａを有する構造としたが、凸條の数は任意に選択ることができる。
【００３６】
また、図示の場合、棚受け具１は、角形の柱材ａに対応するものを示したが、荷重支持部材２の背板部５と両腕板部６を連続する平面半円形にすることで、円形柱材に対して固定できるようにしてもよい。
【００３７】
この発明の棚受け具１は、上記のような構成であり、対面状に起立する両側の柱材ａ間に棚板ｂを架設するために、この棚受け具１を柱材ａに固定するには、先ず、柱材ａに背面側から荷重支持部材２を外嵌して押し付け、前記柱材ａの棚板ｂを架設したい高さ位置に片方の手で保持する。ここで、柱材ａの前面とは、相手柱材と対向する面であり、背面はこの前面と反対側の面をいう。また、荷重支持部材２の柱材ａに対する押し付け位置を保持するため、柱材ａの背面に軸の細い有頭ピンを固定し、その頭部で背板部５を支持するようにしてもよい。
【００３８】
上記荷重支持部材２は、柱材ａの背面に背板部５が当接し、両腕板部６は内面の凹凸圧接面７が柱材ａの両側面に接触し、その先端に突設した縦プレート１１が柱材ａの前面に対して前方に突出した状態となる。
【００３９】
次に、他方の手で水平に保持した棚受け部材３を、結合部８の背面が柱材ａの前面に向く状態で、両縦プレート１１の上部に結合部８の両端が位置するように臨ませ、前記棚受け部材３を下降させながら、端部の溝部１２を前記縦プレート１１へ上から嵌め込み、縦プレート１１の外面に設けた凹凸面１３に外側板１５の内面に設けた凹凸面１４をかみ合わせ、荷重支持部材２の両腕板部６の先端を前記棚受け部材３の結合部８で連結し、この状態で棚受け部材３を押し下げていく。
【００４０】
上記縦プレート１１の外面に設けた凹凸面１３は、下端が腕板部６に向けて接近するよう傾斜しているので、溝部１２を縦プレート１１に嵌めて一対の凹凸面１３と１４を結合する初期の段階は、棚受け部材３を柱材ａの前面から少し離れた状態で開始でき、柱材ａが邪魔にならないので嵌め合わせ作業が円滑に行え、棚受け部材３を更に下降動させていくと、縦プレート１１の凹凸面１３が傾斜しているので棚受け部材３は柱材ａの前面に接近し、両凹凸面１３と１４の上下全長が互いに嵌り合って上板８ａが縦プレート１１の上端に当接する直前の状態で、棚受け部材３の背面で結合部８の背面側下端部に設けた当接部１０が柱材ａの前面に当接する。
【００４１】
上記棚受け部材３に更に押し下げ力を加えると、当接部１０が柱材ａの前面に圧接することで、両凹凸面１３と１４が緊密に結合し、前記当接部１０を支点として棚受け部材３を柱材ａの前面から離反させる方向への回動力が、荷重支持部材２を柱材ａの側に引き寄せるように作用し、これにより、荷重支持部材２は、背板部５が柱材ａの背面に圧接し、両腕板部６は柱材ａの前面側に引かれることで、その内面の凹凸圧接面７が柱材ａの側面に圧接することで、柱材ａに対して荷重支持部材２が固定化され、同時に棚受け部材３は当接部１０が柱材ａの前面に点状や線状に圧接することで柱材ａに固定され、柱材ａの所定高さ位置に棚受け具１を固定することができる。
【００４２】
なお、棚受け具１の固定において、荷重支持部材２と棚受け部材３は別部材となり、荷重支持部材２に対して棚受け部材３を上下動させることができるので、棚受け具１の固定高さ位置の調整が棚受け部材３を少し上に移動させて当接部１０の柱材ａの前面への圧接を解けば、荷重支持部材２を柱材ａの上下に移動させることができ、荷重支持部材２と棚受け部材３を結合した状態のままで、固定位置の調整が簡単に行えることになる。
【００４３】
このようにして、両柱材ａの同じ高さ位置に棚受け具１を固定し、両棚受け具１の棚受け部材３における受け板９ａ上に棚板ｂの両端を載置すれば、前記棚板ｂは受け部９により端部が保持され、両棚受け具１の間に水平状態で架設することができる。
【００４４】
上記した棚板ｂの重量及びこの棚板ｂの載荷物の重量は、棚板受け部３の受け板９ａにかかることになるが、棚受け部材３における受け板９ａの上面に対して当接部１０は略同じ高さか少し下の位置にあるので、前記棚板ｂと載荷物の受け板９ａにかかる重量は、当接部１０を支点として棚受け部材を前方に傾斜させようとするように働き、これにより、当接部１０の柱材ａの前面への圧接力及び、荷重支持部材２を柱材ａの前面側に引く力が増加することで、棚板受け部材３の柱材ａに対する固定力が増大し、荷重に比例した固定力が得られるので、棚板受け部材３がずり落ちるような事態の発生がない。
【００４５】
また、棚板ｂを外して棚受け具１を柱材ａから取り外すには、荷重支持部材２に対して棚板受け部材３を押し上げるようにすればよく、押し上げ力の加わった棚板受け部材３は縦プレート１１の傾斜する凹凸面１３に沿って、柱材ａの前面から離れる方向に上昇するので、当接部１０が柱材ａの前面から離反することになり、凹凸面１３と１４の結合を解いて縦プレート１１から溝部１２を抜き取れば、棚板受け部材３と荷重支持部材２が分離し、荷重支持部材２を柱材ａから取り外せばよく、棚受け具１は、荷重支持部材２と棚板受け部材３で柱材ａを外嵌状に抱持するだけで固定できるので、取り付けや取り外しの操作が簡単であると共に、取り外し後に柱材ａにビスや釘の跡を残すことがない。
【符号の説明】
【００４６】
１        棚受け具
２        荷重支持部材
３        棚板受け部材
４        嵌め合わせ機構
５        背板部
６        腕板部
７        凹凸圧接面
８        結合部
８ａ      上板
８ｂ      前板
９        棚板受け部
９ａ      受け板
９ｂ      側板
１０      当接部
１０ａ    リブ板
１１      縦プレート
１２      溝部
１３      凹凸面
１４      凹凸面
１５      外側板
１６      内側板
１７      誘導片
【図１】
2018029649.tif 000003
【図２】
2018029649.tif 000004
【図３】
2018029649.tif 000005
【図４】
2018029649.tif 000006